(57)【要約】【課題】釣り糸の途中に設けられる比較的小型・軽量の釣り用錘について、大型化を伴わずに釣り糸が傷つくことを回避できるようにし、且つ、錘の重さの変更を容易に行えるようにする。【解決手段】略球状または略小豆状で略均一の溝幅を有する切込み溝１０ａが所定深さで縦方向に設けられた錘体１０Ａと、上下両端側に釣り糸を結ぶアイ１２ａ，１２ｂが形成され中間に切込み溝１０ａの溝幅に略一致して挿入可能な厚さの挿入部１２ｃを有して上下の糸を接続する接続金具１２と、からなり、挿入部１２ｃを切込み溝１０ａ中に挿入して埋没させながらアイ１２ａ，１２ｂの先端側が外部に露出した状態で接続金具１２と錘体１０Ａとが一体に結合され、アイ１２ａ，１２ｂに上下方向から各々釣り糸を結んだ状態で接続金具１２の側方から錘体１０Ａを脱着可能とした、ことを特徴とするものとした。【選択図】図１
0003128642.tif 000002
【実用新案登録請求の範囲】
【請求項１】
略球状または略小豆状で略均一の溝幅を有する切込み溝が所定深さで縦方向に設けられた錘体と、上下両端側に釣り糸を結ぶためのアイが形成され中間に前記切込み溝の溝幅に略一致して該切込み溝に挿入可能な厚さの挿入部を有する接続金具と、からなる釣り用錘であって、
前記挿入部を前記切込み溝中に挿入して埋没させながら、少なくとも前記上下アイ先端側が外部に露出した状態で前記接続金具を前記錘体と一体に結合され、前記上下アイに各々釣り糸を結んだ状態で前記接続金具の側方から前記錘体を脱着可能とした、
ことを特徴とする釣り用錘。
【請求項２】
前記接続金具は、側面視で前記挿入部が弓状に湾曲しており該挿入部を直線的に弾性変形させて前記切込み溝に挿入することで、前記挿入部の弾性反発力による前記切込み溝内側面との摩擦抵抗で結合力を増強する、ことを特徴とする請求項１に記載した釣り用錘。
【請求項３】
前記錘体は、前記切込み溝内側面所定位置に脱落防止用の凸部が設けられており、前記接続金具との着脱時に、前記挿入部が溝幅または／及び前記凸部を弾性変形させて前記凸部を通過するものとされている、ことを特徴とする請求項１または２に記載した釣り用錘。
【請求項４】
前記接続金具は、鋼線を屈曲して正面視で中央部がくびれた略瓢箪状とされ、前記上下アイから延設されて前記挿入部を形成しながら略並列した２本の鋼線が該挿入部の中央部分で互いに接近するように湾曲されており、且つ、前記切込み溝底面形状が前記挿入部の湾曲形状に略一致しており、挿入した一方の前記鋼線が前記底面に略密着する、ことを特徴とする請求項１，２または３に記載した釣り用錘。
【請求項５】
前記接続金具は、１本の鋼線の上下両端側を丸めてそれぞれアイとされ、前記挿入部が正面視略直線状の１本の鋼線からなる、ことを特徴とする請求項１，２または３に記載した釣り用錘。
【請求項６】
請求項５に記載した釣り用錘は、結合状態で前記錘体の上下両端側の前記アイが露出する部分に、前記アイの基端側湾曲形状に一致する形状で前記切込み溝の深さ方向に略直交した陥凹溝が各々設けられ、前記切込み溝底部まで前記挿入部を挿入後、前記上下のアイの平面視の向きを前記切込み溝の深さ方向に対し直交させることで前記上下のアイの基端側が前記陥凹溝に落ち込んで固定されるものとされている、ことを特徴とする釣り用錘。
【請求項７】
前記切込み溝の開口部に、面取り又は丸めが施されていることを特徴とする請求項１，２，３，４，５または６に記載した釣り用錘。
【請求項８】
前記錘体は、タングステンまたはタングステン合金からなることを特徴とする、請求項１，２，３，４，５，６または７に記載した釣り用錘。
【考案の詳細な説明】
【技術分野】
【０００１】
本考案は、釣り用錘に関し、殊に、浮子釣りやミャク釣り等において釣り糸の途中に設けられ、仕掛けを水中の所望位置にコントロールするための比較的小型・軽量の釣り用錘に関する。  
【背景技術】
【０００２】
浮子釣りやミャク釣りなど、釣り人からあまり遠くなく比較的浅い水中の所望位置に釣り針などの仕掛けを位置させてコントロールする際に、球状または小豆状でその中心軸線付近で釣り糸を挟み込む切込み溝を有して釣り糸の途中に取り付けられる、ガン玉錘といわれる小型・軽量の釣り用錘が汎用されている。
【０００３】
例えば、図７に示すように、鉛や鉛合金等の比較的軟質で比重の重い金属からなるガン玉錘３０を、糸同士を接続するスイベル（撚り戻し）４０Ａ上側の道糸２を切込み溝３１に挿入した状態で噛み潰して固定するのが一般的である。これにより、スイベル４０Ａ下側で釣り針５０のついたハリス３を所望位置にコントロールしやすいものとなる。斯かるガン玉錘３０は、このような装着・固定方法から噛み潰し錘とも呼ばれ、複数種類の重さのものが用意されており、所望の重さの錘を釣り糸途中の所望位置に簡易に取り付けられる点を特徴としている。
【０００４】
しかし、ガン玉錘３０は、釣り糸を切込み溝３１に挟み込んで堅固に固定するため、挟み込んだ部分で釣り糸を傷つけて切れやすくするという欠点がある。一方、傷の発生を避けるために弱く噛みつぶして軽く固定した場合は、ガン玉錘３０が釣り糸上で移動して安定しにくいものとなる。この問題に対し、実登第３０４４４０５号公報には、ガン玉錘の切込み溝内も含めて表面総てをゴム等の弾性素材で塗装することにより、釣り糸を傷つけにくくしかも摩擦力でずれにくくしたものが提案されている。
【０００５】
ところが、浮子釣りにおいて浮子の高さを調整する場合や、渓流釣り等において水流の強さや狙うたなの深さに対応させる場合など、ガン玉錘の重さを頻繁に変更する必要性が生じることがある。この場合、用意しておいた他の重さのガン玉錘に交換するのであるが、この釣り糸上で噛み潰したガン玉錘は指で切込み溝を開くことが困難であり、ナイフなどの鋭利な器具の先を差し込んで切込み溝を開いて取り外すのが一般的で、その際に器具で釣り糸を傷つけてしまうトラブルが多発していた。
【０００６】
これに対し、特開平１１−８８号には、図８（Ａ）に示すように、２つのスイベルを金属線４１で連結した釣り用接続具４０Ｂが提案されている。この釣り用接続具４０Ｂは、図８（Ｂ）に示すように中央の金属線４１部分でガン玉錘３０を固定する構成であるため、錘装着時及び交換時に釣り糸を傷つけにくいものとしている。
【０００７】
しかしながら、一般にガン玉錘を使用するような釣りは、比較的警戒心の強い魚を釣るために繊細なものであることが多く、この錘と釣り糸を兼ねた部分が大きく目立ちやすいとともに水の抵抗が大きいものとなって、繊細な釣りの実施において妨げとなりやすい。また、錘の変更時に釣り糸を傷つけにくくしても、錘交換用の器具が必要な点は改善されていないことから、器具を要さずに指等で簡易に交換できるものが望まれていた。
【特許文献１】実登第３０４４４０５号公報
【特許文献２】特開平１１−８８号
【考案の開示】
【考案が解決しようとする課題】
【０００８】
本考案は、上記のような問題点を解決しようとするものであり、釣り糸の途中に設けられる比較的小型・軽量の釣り用錘について、大型化を伴わずに釣り糸が傷つくことを回避できるようにし、且つ、錘の重さの変更を容易に行えるようにすることを課題とする。
【課題を解決するための手段】
【０００９】
そこで、本考案は、略球状または略小豆状で略均一の溝幅を有する切込み溝が所定深さで縦方向に設けられた錘体と、上下両端側に釣り糸を結ぶためのアイが形成されその中間に錘体の切込み溝の溝幅に略一致して切込み溝内に挿入可能な厚さの挿入部を有する接続金具と、からなる釣り用錘であって、接続金具の挿入部を切込み溝中に挿入して埋没させながら、少なくとも上下アイの先端側が外部に露出した状態で錘体と一体に結合され、上下アイに各々釣り糸を結んだ状態で接続金具の側方から錘体を脱着可能とした、ことを特徴とするものとした。
【００１０】
これにより、錘体を釣り糸側に固定するための接続金具を、アイが錘体の上下両端面から露出するだけのサイズとして全体としての大型化を回避するものとし、且つ、接続金具の挿入部を錘体の切込み溝に挿入することで両者を結合・固定する構成としたことで、接続金具の側方から錘体を簡易に着脱できるものとなって、錘の重さの調整が専用の器具を要することなく容易に行えるものとなる。
【００１１】
また、この釣り用錘は、接続金具が側面視で挿入部が弓状に湾曲しており、これを直線的に弾性変形させて錘体の切込み溝に挿入することで、挿入部の弾性反発力による切込み溝内側面との摩擦抵抗で結合力を増強するものとすれば、結合状態が極めて安定したものとなる。
【００１２】
さらに、上述した釣り用錘において、錘体の切込み溝内側面所定位置に脱落防止用の凸部が設けられ、接続金具との着脱時に挿入部が溝幅または／及び凸部を弾性変形させてこの凸部を通過するものとすれば、着脱の手間を増加させることなく結合状態を一層安定させることができる。
【００１３】
さらにまた、上述した釣り用錘において、その接続金具は鋼線を屈曲して正面視で中央部がくびれた略瓢箪状とされ、上下アイから延設されて挿入部を形成しながら略並列した２本の鋼線が挿入部の中央部分で互いに接近するように湾曲されており、且つ、錘体の切込み溝底面形状がこの挿入部の湾曲形状に略一致して挿入した一方の鋼線がこの底面に略密着するものとすれば、接続金具が上下にずれにくいものとなる。
【００１４】
或いは、この接続金具を１本の鋼線の上下両端側を丸めて各々アイとし、挿入部が正面視略直線状の１本の鋼線からなるものとすれば、切込み溝の浅い錘体でも結合させやすいものとなり、この場合、結合状態で錘体の上下両端側でアイが露出する部分に、アイの基端側湾曲形状に一致する形状で切込み溝の深さ方向に略直交した陥凹溝を各々設け、切込み溝底部まで挿入部を挿入後、上下アイの平面視の向きを切込み溝の深さ方向に対し直交させることでその基端側が陥凹溝に落ち込んで固定されるものとすれば、結合状態をさらに安定的に維持できるものとなる。
【００１５】
加えて、上述した釣り用錘において、その錘体の切込溝の開口部には面取り又は丸めが施されているものとすれば、接続金具の側端側が挿入時に切込み溝内に案内されて結合作業を容易にするとともに、開口部の角で釣り糸を傷つける畏れの少ないものとなり、さらに加えて、上述した釣り用錘の錘体はタングステンまたはタングステン合金からなるものとすれば、塑性変形しにくく反復使用に耐えて安定した固定力を発揮するとともに、鉛系の錘よりも小型化が可能となる。
【考案の効果】
【００１６】
釣り糸の途中に設ける釣り用錘を、錘体と接続金具とに分け、接続金具の上下アイの間の挿入部を錘体の切込み溝内に挿入して両者を結合・固定するものとした本考案によると、大型化を伴わずに釣り糸の傷つくことを回避できるようになり、且つ、錘の重さの変更が容易に行えるものとなる。
【考案を実施するための最良の形態】
【００１７】
以下に、図面を参照しながら本考案を実施するための最良の形態を説明する。
【００１８】
図１乃至図３は本考案における第１の実施の形態の釣り用錘１Ａを示している。釣り用錘１Ａは、浮子釣りやミャク釣りなど、仕掛けをコントロールするための錘として比較的小型・軽量のガン玉錘を使用するような場合において、ガン玉錘の代わりに用いるものであって、ガン玉錘と同様のサイズ・重さを想定したものである。
【００１９】
図１（Ａ）の釣り用錘１Ａの結合前の状態を示す正面図を参照して、釣り用錘１Ａは、略球状で一般的なガン玉錘とほぼ同一形状・同一サイズの錘体１０Ａと、釣り糸を上下に接続して錘体１０Ａを釣り糸途中に固定させるための鋼線を屈曲してなる接続金具１２とからなる。
【００２０】
錘体１０Ａは、タングステン鋼を主としたタングステン合金等の比重が重く硬度の高い金属で成型され、沈みやすく変形や傷の生じにくいものとされており、図（Ｂ）の右側面図に示すように、その上下の中心軸線を僅かに越える深さで設けられた切込み溝１０ａを有している。また、切込み溝１０ａの開口部には約９０度の角部を約４５度・４５度として内側面と外側面とを繋げる面取り１０１が設けられている。尚、タングステンは鉛よりも比重が重いため、タングステン合金はタングステンの比率により同一体積の鉛合金の錘よりも重くすることが出来る点で釣り用錘全体の小型化に有利であり、また、比率を変えることにより同体積当たりの重さを変えることが可能なものである。
【００２１】
接続金具１２は、ステンレス鋼等の弾性に富む鋼線を環状にしたものを対向する２箇所を外側から中心に向かって湾曲させて中央部がくびれた略瓢箪状の形にし、上下両端側に釣り糸を結ぶための略輪状構造であるアイ１２ａ，１２ｂを形成したものであり、図１（Ｂ）の右側面図に示すように挿入部１２ｃの中央付近で僅かに弓状に湾曲している。尚、接続金具１２は、鋼線で作成する以外に金属板を上述した形状にして、角部を面取りまたは丸め処理を行っても同様に作成することができ、この場合、中央のくびれを形成する並列部分は一体となっていてもよい。
【００２２】
そして、錘体１０Ａと接続金具１２とを結合させて、図１（Ｃ）の使用時の状態の右側面図に示すように、接続金具１２を構成する鋼線の直径及びその挿入部１２ｃの厚さは錘体１０Ａの切込み溝１０ａの溝幅と略一致しており、接続金具１２の側端側から切込み溝１０ａに挿入することで側面視弓状から直線状に弾性変形した状態となり、その弾性復元力で切込み溝１０ａの内側面に押圧されて両者の摩擦力が増大し固定力が増強されたものとなっている。尚、切込み溝１０ａの開口部に面取り１０１を設けたことで、接続金具１２が湾曲していても挿入時に案内されやすくなり、容易に挿入されて直線的に伸ばされるようになっており、且つ、切込み溝１０ａ開口部の角で釣り糸を傷つける心配のないものとしている。また、面取り１０１の代わりに丸め処理を施しても同様の効果が期待できる。
【００２３】
図１（Ｄ）の釣り用錘１Ａの使用時の状態を示す正面図を参照して、接続金具１２は、錘体１０Ａの上下両端側からアイ１２ａ，１２ｂの先端側の大部分を外部に露出させて、上下方向からの釣り糸を結びつけてこれらを接続するとともに、この位置でガン玉錘に相当する錘体１０Ａを釣り糸の途中に固定する。尚、接続金具１２のアイ１２ａ，１２ｂの基端側の狭小部を錘体１０Ａ側に埋没させたことで、アイ１２ａ，１２ｂの基端側狭小部に釣り糸が巻き付くトラブルが発生しにくいものとなっている。
【００２４】
図２は、図１（Ｃ）のＸ−Ｘ線に沿う断面図を示している。上述したように、接続金具１２は中央部が正面視瓢箪型に湾曲しており、そのアイ１２ａ，１２ｂから延設され並列した２本の鋼線からなる挿入部１２ｃの湾曲形状に一致するように、切込み溝１０ａの底面が湾曲して形成され、これらが互いに当接している。このような構成としたことで、釣り用錘１Ａは弾性復元力による摩擦力の増大に加え湾曲形状同士の当接による係止力で、結合状態がより安定的なものとなっている。
【００２５】
図３（Ａ）は、釣り用錘１Ａの使用時の斜視図を示しており、例えば道糸２が上側のアイ１２ａに結びつけられ、ハリス３が下側のアイ１２ｂに結びつけられた状態にすることで釣り糸の途中に錘が固定された状態となる。従来においては、図７に示すように、道糸２とハリス３とを接続するスイベル４０Ａの上側の道糸２にガン玉３０が直接設けられ、道糸２を傷つけやすいとともにその着脱・交換作業が面倒であったのに対し、本実施の形態では一旦接続金具１２で道糸２とハリス３とを接続した後は、その側方から錘体１０Ａを挿脱するだけで交換作業が完了し、しかもそのときに道糸２に傷を付ける心配のないものとなる。
【００２６】
また、図３（Ｂ）に示すように錘の重さを変更する場合、破線で示す錘体１０Ａのようにして様々にサイズを変更することができるが、これ以外にも大きさは変えずに錘体１０Ａを形成する金属の比率を変更して比重を変更したものを用いて対応することもできる。
【００２７】
また、図３と図７とを比較して分かるように、本実施の形態の釣り用錘１Ａはスイベル４０Ａを使用する場合よりも全体としてコンパクトなものとなり、目立ちにくく水の抵抗を受けにくいものとなっている。また、錘体１０Ａと結合しない状態で接続金具１２自体の重さで最も軽い錘として使用することも可能であり、この場合、最も目立ちにくいとともに最も水の抵抗の少ない錘となり、しかも釣り糸同士を接続するための機能を兼ねたものとなる。
【００２８】
図４は、本考案における第２の実施の形態の釣り用錘１Ｂを示している。図４（Ａ）の縦断面図に示すように、上述の釣り用錘１Ａと殆ど同じ構成であるが、図４（Ｂ）の右側面図に示すように切込み溝１０ａの一方の内側面から滑らかな球面状に突出した脱落防止用の凸部１０ｄが設けられている点を特徴としている。この場合、接続金具１２の挿入時に切込み溝１０ａが弾性変形で僅かに開いて接続金具１２がこの部分を通過してから戻り、図４（Ａ）の結合状態で凸部１０ｄの縁が接続金具１２の湾曲形状の脱落方向への押さえとなって、両者の結合状態をより堅固なものとしている。
【００２９】
図５は、本考案における第３の実施の形態の釣り用錘１Ｃの縦断面図を示している。釣り用錘１Ｃは、接続金具を１本の鋼線の上下端部側を丸めてそれぞれアイ１３ａ，１３ｂとし、挿入部１３ｃが１本の略直線状の鋼線からなる点を特徴としている。この場合、挿入部１３ｃを構成する鋼線の径が、錘体１１Ａの切込み溝１１ａの溝幅とほぼ同一とされ、嵌め込まれることで容易には脱落しにくいものとなるが、釣り用錘１Ｂと同様に脱落防止用の凸部１１ｂが設けたことで結合状態を一層安定的なものとしている。
【００３０】
このような構成の釣り用錘１Ｃは、切込み溝の浅い錘体でも結合容易となるため、ガン玉のＢよりも軽く小さな錘を使用する場合や同じ重さでも球状の錘よりも小径の小豆状の錘を使用する場合に有利である。尚、この釣り用錘１Ｃも上述の実施の形態のものと同様に、アイ１３ａ，１３ｂの基端側の狭小部が錘体１１Ａ内部に埋没するようになっている。
【００３１】
図６は本考案の第４の実施の形態の釣り用錘１Ｄを示すものであり、図６（Ａ）の縦断面図に示すように、釣り用錘１Ｃと構成および作用はほぼ同様であるが、結合状態で錘体１１Ｂの上下両端側のアイ１３ａ，１３ｂが露出する部分に、滑らかな球面で切り取った切り欠き部１１ｄ，１１ｅが設けられ、さらにその中でアイ１３ａ，１３ｂの基端側湾曲部の形状に一致する形状で切込み溝１１ｃの深さ方向に略直交した陥凹溝１１ｆ，１１ｇが各々設けられている点を特徴としている。
【００３２】
この釣り用錘１Ｄは、切込み溝１１ｃ底部まで接続金具１３Ａの挿入部１３ｃを挿入した状態で、上下アイ１３ａ，１３ｂの平面視の向きを切込み溝１１ｃの深さ方向に対し直交させるように接続金具１３を回転させることでその基端側湾曲部が陥凹溝１１ｆ，１１ｇに落ち込んで固定されるようになっている。この構成により、釣り用錘１Ｄは結合状態をさらに安定的に維持できるものとなっている。尚、上述した釣り用錘１Ｃ，１Ｄに共通して、その切込み溝１１ａ，１１ｃの開口部に上述した面取りまたは丸めを施せば、結合作業がさらに容易になるとともに釣り糸を傷つけにくいものとなることは言うまでもない。
【００３３】
以上、述べたように、釣り用錘を錘体と接続金具とに分け、錘体の切込み溝に接続金具を挿入して固定するものとした本考案によると、釣り糸の途中に設けられる比較的小型・軽量の釣り用錘について大型化を伴わずに釣り糸の傷つきにくいものとし、且つ、専用の器具を用いることなく指でつまんで溝の深さ方向に沿って力を加えるだけで錘体を装着・取り外しできるものとなってその着脱が簡単に行われるようになり、錘の重さの変更が容易なものとなった。
【図面の簡単な説明】
【００３４】
【図１】（Ａ）は本考案における第１の実施の形態の釣り用錘の結合前の状態を示す平面図、（Ｂ）は（Ａ）の右側面図、（Ｃ）は（Ａ）の釣り用錘の結合状態を示す右側面図、（Ｄ）は（Ｃ）の正面図。
【図２】図１（Ｃ）のＸ−Ｘ線に沿う断面図。
【図３】（Ａ）は図１（Ｄ）の釣り用錘の使用状態を示す斜視図、（Ｂ）は複数種類の重さの錘体を装着する場合を説明するための正面図。
【図４】（Ａ）は本考案における第２の実施の形態を示す縦断面図、（Ｂ）は（Ａ）の釣り用錘の右側面図。
【図５】本考案における第３の実施の形態を示す縦断面図。
【図６】（Ａ）は本考案における第四の実施の形態を示す縦断面図、（Ｂ）は（Ａ）の平面図、（Ｃ）は（Ａ）の釣り用錘の連結状態を示す平面図。
【符号の説明】
【００３５】
１Ａ，１Ｂ，１Ｃ，１Ｄ  釣り用錘、１０Ａ，１０Ｂ，１１Ａ，１１Ｂ  錘体、１０ａ，１１ａ，１１ｃ  切込み溝、１０ｄ，１１ｂ  凸部、１１ｄ，１１ｅ  切り欠き部、１１ｆ，１１ｇ  陥凹溝、１２，１３  接続金具、１２ａ，１２ｂ，１３ａ，１３ｂ  アイ、１２ｃ，１３ｃ  挿入部、１０１  面取り
【図１】
0003128642.tif 000003
【図２】
0003128642.tif 000004
【図３】
0003128642.tif 000005
【図４】
0003128642.tif 000006
【図５】
0003128642.tif 000007
【図６】
0003128642.tif 000008
【図７】
0003128642.tif 000009
【図８】
0003128642.tif 000010
【手続補正書】
【提出日】平成18年11月22日(2006.11.22)
【手続補正１】
【補正対象書類名】明細書
【補正対象項目名】００３４
【補正方法】変更
【補正の内容】
【００３４】
【図１】（Ａ）は本考案における第１の実施の形態の釣り用錘の結合前の状態を示す正面図、（Ｂ）は（Ａ）の右側面図、（Ｃ）は（Ａ）の釣り用錘の結合状態を示す右側面図、（Ｄ）は（Ｃ）の正面図。
【図２】図１（Ｃ）のＸ−Ｘ線に沿う断面図。
【図３】（Ａ）は図１（Ｄ）の釣り用錘の使用状態を示す斜視図、（Ｂ）は複数種類の重さの錘体を装着する場合を説明するための正面図。
【図４】（Ａ）は本考案における第２の実施の形態を示す縦断面図、（Ｂ）は（Ａ）の釣り用錘の右側面図。
【図５】本考案における第３の実施の形態を示す縦断面図。
【図６】（Ａ）は本考案における第４の実施の形態を示す縦断面図、（Ｂ）は（Ａ）の平面図、（Ｃ）は（Ａ）の釣り用錘の連結状態を示す平面図。
【図７】従来例を示す正面図。
【図８】（Ａ）は従来例を示す正面図、（Ｂ）は（Ａ）の釣り用錘の使用状態を示す正面図。